(57)【要約】  【課題】コンクリート構造物に電気防食工法を施すために電極を埋設するに際して、該電極の埋設が容易であって作業性に優れ、しかも、グラウト注入等において充填の妨げとならないような構成の電極、及びその埋設方法を提供することを一の目的とする。  【解決手段】  コンクリート構造物に電気防食工法を施すために埋設される電気防食用電極であって、弾性変形によって幅方向の長さが収縮しうるように帯状体が幅方向に湾曲されて形成されたことを特徴とする電気防食用電極による。【選択図】          図１
2010138686.tif 000002
【特許請求の範囲】
【請求項１】
コンクリート構造物に電気防食工法を施すために埋設される電気防食用電極であって、弾性変形によって幅方向の長さが収縮しうるように帯状体が幅方向に湾曲されて形成されたことを特徴とする電気防食用電極。
【請求項２】
幅方向の断面形状が略Ｖ字状又は略Ｕ字状であることを特徴とする請求項１記載の電気防食用電極。
【請求項３】
前記帯状体が、エキスパンドメタル状に形成されたものであり、エキスパンドメタル状に形成する際の延伸方向が、前記帯状体の長手方向となるように構成されたことを特徴とする請求項１又は２記載の電気防食用電極。
【請求項４】
幅方向中央部には、幅方向断面形状が略Ｖ字状又は略円弧状の湾曲部が外方へ向かって突出するように形成されていることを特徴とする請求項１〜３の何れかに記載の電気防食用電極。
【請求項５】
コンクリート構造物に電気防食工法を施すべく、電気防食用電極を埋設する方法であって、
前記電気防食用電極として、弾性変形によって幅方向の長さが収縮しうるように帯状体が幅方向に湾曲して形成された電気防食用電極を用いるとともに、前記コンクリート構造物に該電気防食用電極の幅よりも幅狭の溝を形成し、
前記電気防食用電極を幅方向に収縮させながら該溝の内部に挿入することを特徴とする電気防食用電極の埋設方法。
【請求項６】
コンクリート構造物に電気防食工法を施すべく、電気防食用電極を埋設する方法であって、
前記電気防食用電極として、弾性変形によって幅方向の長さが収縮しうるように帯状体が幅方向に湾曲して形成された電気防食用電極を用いるとともに、前記コンクリート構造物に該電気防食用電極の幅よりも幅狭の溝を形成し、該溝の内部にグラウト材の一部を打設し、前記電気防食用電極を幅方向に変形させながら該溝の内部に挿入し、さらに該溝の内部に前記グラウト材の残部を打設することを特徴とする電気防食用電極の埋設方法。
【請求項７】
前記帯状体が、エキスパンドメタル状に形成されたものであることを特徴とする請求項５又は６記載の電気防食用電極の埋設方法。
【請求項８】
前記電気防食用電極を溝の内部に押し込む押込み部と、該押込み部の溝内部への到達距離を制限する規制部とが備えられた押込み治具を用いて前記電気防食用電極を溝の内部に挿入するようにし、溝の底と該電気防食用電極とを離間させて設置することを特徴とする請求項５〜７の何れかに記載の電気防食用電極の埋設方法。
【発明の詳細な説明】
【技術分野】
【０００１】
本発明は、コンクリート構造物の電気防食用電極とその埋設方法に関する。
【背景技術】
【０００２】
従来、コンクリート構造物の鉄筋防食方法として、電気防食工法が知られている。該電
気防食工法は、コンクリート構造物の表面にチタン等からなる電気防食用の電極を埋設し
、該電気防食電極を陽極、鉄筋を陰極として通電することにより、鉄筋の腐食を防止する
ものである。
通常、該電気防食電極の陽極としては、棒状又は帯状に形成された長尺状の電極が使用
され、コンクリート構造物に設けられた溝の内部にこの長尺状の電極を設置し、その溝を
左官施工やグラウト注入等で充填することにより、該電極をコンクリート構造物中に埋設
している。
【発明の概要】
【発明が解決しようとする課題】
【０００３】
しかしながら、電極を埋設する溝が横向きや下向きに開口している場合、つまり、天井
や壁といったコンクリート面に電極を埋設しようとする場合には、グラウト等を注入する
までの間、電極が溝から落下しないよう、電極を溝の内部に仮止めする必要があり、作業
性が悪いという問題がある。特に、足場や高所作業車等が必要となるアクセス性の悪いコ
ンクリート面に電極を設置する場合には、このような問題がより一層顕著となる。
【０００４】
また、何らかの止め具を用いて電極を溝の内部に仮止めする方法も考えられるが、溝の
内部に設置された止め具はグラウト注入等の妨げとなって溝の内部に充填不良（空隙）を
生じさせる虞がある。
【０００５】
そこで、上記のような従来技術の問題点に鑑み、本発明は、コンクリート構造物に電気
防食工法を施すための電極を埋設するに際して、該電極の埋設が容易であって作業性に優
れ、しかも、グラウト注入等の妨げとならないような電気防食用電極を提供すること、及び作業性に優れ且つ充填性に優れた電気防食用電極の埋設方法を提供することを一の目的とする。
【課題を解決するための手段】
【０００６】
本発明は、コンクリート構造物に電気防食工法を施すために埋設される電気防食用電極
であって、弾性変形によって幅方向の長さが収縮しうるように帯状体が幅方向に湾曲され
て形成されたことを特徴とする電気防食用電極を提供する。
本発明に係る電気防食用電極の好ましい一形態としては、幅方向の断面形状が略Ｖ字状
又は略Ｕ字状のものが挙げられる。
【０００７】
本発明に係る電気防食用電極によれば、該電気防食用電極をコンクリート構造物に形成
された溝の内部に設置する際、該電極自身を弾性変形させて幅方向の長さを縮小させ得る
ため、該電極自身の弾性力（反発力）によって溝内面との間で摩擦力を生じさせ、止め具等を使用しなくとも該電極を溝の内部に保持することが可能となる。
【０００８】
また、本発明に係る電気防食用電極は、好ましくは、前記帯状体が、エキスパンドメタ
ル状に形成されたものであり、エキスパンドメタル状に形成する際の延伸方向が、前記帯
状体の長手方向となるように構成されたものとする。
前記帯状体が、エキスパンドメタル状に形成され、その際の延伸方向が帯の長手方向と
なるように構成されたものであれば、長尺状の電極をコイル状に券回しやすくなり、取り
扱い性が良好となるとともに、幅方向には湾曲されにくくなり、溝の内側へ挿入した際に
、溝と電極とが強固に擦れあう状態となって該電極をより確実に溝の内側に固定すること
が可能となる。
【０００９】
また、本発明に係る電気防食用電極は、好ましくは、幅方向中央部には、幅方向断面形
状が略Ｖ字状又は略円弧状の湾曲部が外方へ向かって突出するように形成されているもの
とする。
幅方向中央部に、幅方向断面形状が略Ｖ字状又は略円弧状の湾曲部が外方へ向かって突
出するように形成された電気防食用電極を用いることにより、その略Ｖ字状又は略円弧状
の湾曲部の先端を介して該電極が溝の内部へと案内されやすくなり、電気防食用電極の埋
設作業がより一層容易となる。
【００１０】
また、本発明は、コンクリート構造物に電気防食工法を施すべく、電気防食用電極を埋
設する方法であって、前記電気防食用電極として、弾性変形によって幅方向の長さが収縮しうるように帯状体が幅方向に湾曲して形成された電気防食用電極を用いるとともに、前記コンクリート構造物に該電気防食用電極の幅よりも幅狭の溝を形成し、前記電気防食用電極を幅方向に収縮させながら該溝の内部に挿入することを特徴とする電気防食用電極の埋設方法を提供する。
【００１１】
本発明に係る電気防食用電極の設置方法によれば、弾性変形によって幅方向の長さが収縮しうるように帯状体が幅方向に湾曲して形成された電気防食用電極を用いるとともに、コンクリート構造物に形成された幅狭の溝の内部に、前記電気防食用電極を幅方向に収縮させながら挿入するようにしたことにより、該電極自身の弾性力（反発力）によって溝内面との間で摩擦力を生じさせ、止め具等を使用しなくとも該電極の脱落を防止しうるという効果がある。
【００１２】
また、前記電極を幅方向に湾曲した形状とすることにより、湾曲させない平板状の電極を用いる場合と比較して、コンクリート構造物に形成する溝の深さを浅くすることができるため、該コンクリート構造物中の鉄筋が露出して該電極と鉄筋とが接触することを防止しうるという効果がある。さらに、上述のように、前記電極を幅方向に湾曲した形状とすることにより、溝の深さを浅くすると同時に該電極上に充填するモルタルの厚みを十分に確保しうるという効果もある。
【００１３】
また、本発明は、コンクリート構造物に電気防食工法を施すべく、電気防食用電極を埋設する方法であって、前記電気防食用電極として、弾性変形によって幅方向の長さが収縮しうるように帯状体が幅方向に湾曲して形成された電気防食用電極を用いるとともに、前記コンクリート構造物に該電気防食用電極の幅よりも幅狭の溝を形成し、該溝の内部にグラウト材の一部を打設し、前記電気防食用電極を幅方向に収縮させながら該溝の内部に挿入し、さらに該溝の内部に前記グラウト材の残部を打設することを特徴とする電気防食用電極の埋設方法を提供する。
【００１４】
本発明に係る電気防食用電極の設置方法によれば、上述の如く、電極自身の弾性力（反発力）によって溝内面との間で摩擦力を生じさせ、止め具等を使用しなくとも該電極の脱落を防止しうると同時に、電極挿入の前後に分けてグラウト材を打設したことにより、該グラウト材の充填性が極めて優れたものとなる。つまり、溝の内部にグラウト材の一部を打設し、その上から前記電気防食用電極を幅方向に収縮させながら該溝の内部に挿入することにより、先に打設されたグラウト材が電極によって溝の奥や隅へと押し込まれることとなるため、該溝内の充填性がより一層高まるのである。
【００１５】
また、本発明は、前記帯状体が、エキスパンドメタル状に形成されたものである前記電気防食用電極の埋設方法を提供する。電極を構成する帯状体がエキスパンドメタル状に形成されたものであれば、該電極は網目状の多数の貫通孔を有した構成となるため、該貫通孔を通ってグラウト材が移動可能となる。したがって、例えば、上述のように、該溝の内部にグラウト材の一部を打設し、前記電気防食用電極を幅方向に収縮させながら該溝の内部に挿入した際、先に打設したグラウト材の量が多い場合には、該グラウト材がこの貫通孔を介して電極の反対側へと移動するため、容易に電極を所定の深さまで挿入することが可能となる。
また、電極を溝の奥まで挿入した後からグラウト材を充填した場合には、該電極の下側にまでグラウト材が行き渡り、充填性が高まるという効果がある。
【００１６】
さらに、本発明は、前記電気防食用電極を溝の内部に押し込む押込み部と、該押込み部の溝内部への到達距離を制限する規制部とが備えられた押込み治具を用いて前記電気防食用電極を溝の内部に挿入するようにし、溝の底と該電気防食用電極とを離間させて設置することを特徴とする前記電気防食用電極の埋設方法を提供する。
【００１７】
斯かる方法によれば、溝の底と該電気防食用電極とを離間させて設置することにより、万一、溝を形成した際にコンクリート構造物の鉄筋が露出した場合であっても、該鉄筋と電気防食用電極との短絡を防止することができる。また、溝の底と該電気防食用電極とを離間させて設置することにより、溝の底と該電気防食用電極との間に空間が形成されるため、モルタルやセメントペースト等のグラウト材が流れ易くなって充填性が良好となる。
【発明の効果】
【００１８】
このように、本発明に係る電気防食用電極およびその埋設方法によれば、コンクリート構造物に電気防食工法を施すための電極の埋設が容易となり、作業性が大幅に改善されるとともに、グラウト材注入の妨げにもなり難く、充填性が良好になるという効果がある。
【図面の簡単な説明】
【００１９】
【図１】（ａ）は本発明に係る電気防食用電極の一実施形態の一部を示した斜視図、（ｂ）はその断面図、（ｃ）はその側面図。
【図２】本発明に係る電気防食用電極の設置方法の一実施形態を示した概略断面図。
【図３】本発明に係る電気防食用電極の他の実施形態を示した断面図。
【図４】（ａ）電極を設置する際に用いる押込み治具の例であるローラ５を示した正面図。（ｂ）該ローラ５の側面図。
【図５】図４に示すローラ５を用いて電気防食用電極１を溝の底に設置する工程を示した概略図。
【図６】（ａ）電極を設置する際に用いる押込み治具の他の例であるローラ５'を示した正面図。（ｂ）該ローラ５'の側面図。
【図７】電気防食用電極の埋設方法の一実施形態において、図６に示すローラ５'を用いて電気防食用電極１を溝の底に設置する工程を示した概略図。
【図８】コンクリート構造物に形成された溝に電気防食用電極が埋設された状態を示す断面図。
【図９】電気防食用電極の埋設方法の他の実施形態について、工程毎の概要を示した断面図。
【発明を実施するための形態】
【００２０】
以下、本発明に係る電気防食用電極およびその設置方法について、図面を参照しつつ、詳細に説明する。
図１は、本発明に係る電気防食用電極の一実施形態を示した概略図である。図１に示す如く、本実施形態に係る電気防食用電極１は、網目を有する長尺帯状の金属体から構成され、該金属体が幅方向（短手方向）に湾曲された形状を有している。具体的には、該電極１は、エキスパンドメタル状に加工されたものであって、前記網目を構成する各々の穴は、図１（ｃ）に示す如く、エキスパンドメタル状に加工する際の延伸時に形成された菱形状のものである。
【００２１】
また、本実施形態の電気防食用電極１は、該電極の長手方向が、エキスパンドメタル状に加工する際の金属体の延伸方向となるように構成されている。エキスパンドメタル状に加工された金属体は、製造時の延伸方向に対しては比較的湾曲されやすく、延伸方向と直交する方向においては比較的湾曲され難いという特性がある。従って、該延伸方向が長手方向となるように構成することにより、長手方向において比較的柔軟性に優れたものとなり、例えば、長尺状の電極をコイル状に券回して、保存、運搬、設置等における該電気防食用電極の取り扱い性を良好とすることができる。
また、延伸方向と直交する方向が幅方向となるため、幅方向の長さ（つまり、電極の幅）を収縮させながら溝の内側へ挿入した後には、溝と電極とが強固に擦れあう状態となり、該電極をより確実に溝の内側に固定することが可能となる。
【００２２】
なお、エキスパンドメタル状とは、ＪＩＳ  Ｇ  ３３５１に規定されたエキスパンドメタルの形状、又はこれと同様の形状をいう。
【００２３】
本実施形態に係る電気防食用電極１は、図１（ｂ）に示す如く、幅方向（短手方向）の断面が略Ｕ字状となるように湾曲した状態に構成されており、より具体的には、短手方向中央部に円弧状に湾曲して下方に向かって突出するような湾曲部１１と、該湾曲部の両側から直線的に上方へ向かって延びる一対の側壁部１２、１２とから構成されている。
【００２４】
斯かる構成の電気防食用電極１であれば、幅方向両側から圧縮力を加えることによって円弧状の湾曲部１１が更に湾曲し、その結果、一対の側壁部１２、１２が内側へと傾斜し、幅方向の長さが収縮するように変形するため、該電極の幅よりも狭幅の溝へ押し込みながら設置することができる。そして、溝の内部に挿入された電極１は、弾性変形によって幅方向に収縮した状態となるため、その復元力によって溝の側面を押圧する。具体的には、該電気防食用電極の側壁部が溝の側面を押圧し、電極と溝との間に生じる摩擦力によって該電気防食用電極が溝の内部に保持される。
【００２５】
本発明に係る電気防食用電極の材質としては、特に限定されるものではなく、上述のように、湾曲させた状態で弾性変形しうる任意の電極材を使用することができる。具体的には、白金メッキチタン製電極、高珪素鋳鉄製電極、黒鉛製電極、フェライト製電極または金属酸化物製電極等を使用することができる。
【００２６】
また、該電気防食用電極の寸法は、電気防食工法が実施されるコンクリート構造物の状況や実施される電気防食工法の条件等によって適宜決定することができる。具体的には、幅方向の長さが数ｍｍ乃至数ｃｍであり、長手方向の長さが数ｃｍ乃至数ｍであり、高さが数ｍｍ乃至数ｃｍのであるものを採用することができる。
【００２７】
次に、上記実施形態の電気防食用電極１を用いた場合を例に挙げて、本発明に係る電気防食用電極の埋設方法の一実施形態を説明する。
図２は、該実施形態に係る電気防食用電極の設置方法を示した概略図である。図２に示す如く、まず、コンクリート構造物２に、該電気防食用電極１の幅よりも幅狭の溝３を形成する。具体的には、電気防食用電極の幅に対して、０．８〜０．９倍程度の幅の溝を形成することが好ましく、例えば、該電気防食用電極の幅が１０ｍｍであれば、溝の幅は８〜９ｍｍとすることが好ましい。
該溝３は、例えばコンクリートカッター等を用いて形成することができ、必要に応じて複数の溝３を形成することができる。
【００２８】
また、該溝３の深さについては、特に限定されるものではなく、上記のような電気防食用電極１をその内部に収容し、モルタルやセメントペースト等のグラウト材を充填することで該電極３を埋設可能な深さであればよい。特に、グラウト材の厚みを十分に確保し、より確実に該電極１を埋設するという観点からは、該電極１の高さよりも５〜１５ｍｍ程度大きな深さとすることが好ましい。
【００２９】
斯かる寸法の溝を形成した後、図２（ｂ）および（ｃ）に示す如く、上記構成の電極１を該溝３の内部に挿入する。挿入する際には、該電極１を幅方向に弾性変形させて幅方向の長さを収縮させながら、長手方向に沿って順次挿入していく。該電極１を挿入する手段としては、手で押し込む方法や、押込み治具を介して電極を押し込む方法等がある。
該押込み治具としては、例えば、図４に示す如く、Ｕ字状に湾曲した電極１の内部（即ち、前記側壁部１２と側壁部１２との間）に挿入可能な幅を有する車輪５ａと、ハンドル５ｂとを備えたローラ５を使用することができる。該ローラ５を用いることにより、図５に示す如く、溝３の上部に電極１を載置し、該車輪５ａを電極１の内側へ挿入して溝３の底に押し付けながら、該ローラ５を溝の長手方向に移動させていくことにより、電極１を順次、溝３の底へと設置することができる。
【００３０】
また、本実施形態に係る電気防食用電極１は、幅方向中央部に下方へ突出した円弧状の湾曲部１１を備えているため、溝の内部へ挿入する際には、該湾曲部１１によって電極１が順次溝３の内部に案内されるため、電極１を比較的強い力で押圧した場合であっても該電極１が溝３から外れにくく、挿入作業が行いやすいという効果がある。
【００３１】
挿入された電極１は、図２（ｃ）に示す如く、短手方向に弾性変形して収縮した状態で溝３の内部に収容され、即ち、側壁部１２、１２が溝３の両側から挟持された状態となる。
【００３２】
その後、図２（ｄ）に示す如く、溝３の内部にグラウト材４を充填する。本実施形態においては、電気防食用電極１が、短手方向断面においてＵ字状に形成されているため、充填されるグラウト材４は、Ｕ字状の電極１の内側にまで速やかに充填されることとなる。
しかも、本実施形態に係る電気防食用電極１によれば、該電極１が網目を有して形成されているため、注入されたグラウト材４は、該網目を通して該電極１の裏側へも速やかに充填されることとなり、溝３全体がグラウト材４によって満たされやすいという効果がある。
【００３３】
尚、上記実施形態では、短手方向断面形状がＵ字状である電気防食用電極について説明したが、本発明は、このような断面形状に限定されるものではなく、例えば、図３（ａ）に示す如くＶ字状や、図３（ｂ）に示したようなＶ字の両端をさらに湾曲させた形状や、図３（ｃ）に示す如く、一部を切り欠いた円環形状であってもよい。
【００３４】
また、上記実施形態では、エキスパンドメタル状の金属体を折り曲げ加工した場合を例に挙げて説明したが、本発明は、このような構成に限定されず、任意の金属体を用いて構成したものを使用することができる。
該金属体の例としては、パンチングメタル状の金属体や、その他任意の金網状の金属体を使用することができ、また、金属平板を使用することもできる。
【００３５】
また、エキスパンドメタル状の金属体を採用する場合であっても、長手方向を延伸方向とする場合に限定されず、幅方向を延伸方向とするものを使用することもできる。幅方向を延伸方向とした場合には、幅方向における電極の変形が容易となるため、溝の内部へ挿入しやすくなる、という効果がある。
【００３６】
さらに、上記実施形態の埋設方法では、電気防食用電極を溝の底に設置する場合について説明したが、本発明に斯かる埋設方法の他の実施形態として、電気防食用電極を溝の底と離間させて設置する方法を挙げることができる。この場合、前記電気防食用電極を溝の内部に押し込む押込み部と、該押込み部の溝内部への到達距離を制限する規制部とが備えられた押込み治具を用いることが好ましい。
【００３７】
該押込み治具としては、具体的には、上記図４に示したローラ５の車輪５ａの径を小さくすることにより、該車輪５ａを前記押込み部として機能させ、車輪５ａを枢支する枢支部５ｃを前記規制部として機能させたものを挙げることができる。
また、他の形態の押込み治具としては、例えば図６に示す如く、前記電気防食用電極１に当接して該電極１を溝３の内部に押し込む押込み部として機能する幅狭の中央部５ｄと、溝３幅のよりも幅広に形成されることによって該中央部５ｄが溝３の内部へ到達しうる距離を制限する幅広の側部５ｅとを有する車輪５ａを備えたローラ５'を使用することもできる。
【００３８】
斯かる構成のローラ５'を用いて電気防食用電極１を溝３の内部に挿入する場合、例えば図７に示す如く、電気防食用電極１の上から該押込み治具を押し付けつつ回転させていくことにより、電気防食用電極１を溝３の底から浮かせた状態で設置することができる。
このような状態で電気防食用電極１を設置することにより、溝３の底と該電気防食用電極１との間に十分な空間が形成されることとなるため、該電極１の設置後に充填するグラウト材４が、該電極１と溝の底との間を流れ易くなり、図８に示す如く、該溝３の充填状態が良好になるという効果がある。また、コンクリートカッター等を用いてコンクリート構造物２に溝３を形成した際に、万一、コンクリート構造物２内の鉄筋が露出した場合であっても、図８に示す如く、該鉄筋と電気防食用電極との間が十分に絶縁され、短絡を防止することができるという効果がある。
【００３９】
また、本発明に係る電気防食用電極の埋設方法は、コンクリート構造物に、上記の如き構成の電気防食用電極の幅よりも幅狭の溝を形成し、該溝の内部にグラウト材の一部を打設し、前記電気防食用電極を幅方向に変形させながら該溝の内部に挿入し、さらに該溝の内部に前記グラウト材の残部を打設するようにしてもよい。
【００４０】
具体的には、例えば図９に示したように、コンクリート構造物２に形成された溝３の底部から約１／２の深さとなる量のグラウト材４を予め打設しておき（図９（ａ））、次いで、上記構成のローラ５'を用いて電気防食用電極１を溝の深さ方向中央付近に設置し（図９（ｂ））、その上から再びグラウト材４を打設することにより、電気防食用電極１の埋設を行うようにしてもよい。
【００４１】
この場合、電気防食用電極１を設置する際に、該電気防食用電極１を介して予め打設したグラウト材４を押し付けるようにしながら設置することが好ましく、このようにすることで、グラウト材４を溝３の隅まで空隙を生じることなく密実に充填することが可能となる。
【００４２】
また、電気防食用電極１が、上述の如く、エキスパンドメタル状の金属体を折り曲げ加工したものであれば、該電極１は多数の貫通孔を有したものとなっているため、予め打設したグラウト材４の量が多い場合には、その一部は該貫通孔を通って電極１の上側へと溢れ出るために電極１を設置する際の妨げとはならず、むしろ、前記貫通孔の内部にまでグラウト材４が満たされることとなって電気防食用電極１とグラウト材４との密着性が向上し、コンクリート構造物との通電性がより一層良好になるという効果がある。
【符号の説明】
【００４３】
１、１'    電気防食用電極
２          コンクリート構造物
３          溝
４          グラウト材
５、５'    電極設置用の押込み治具（ローラ）
６          グラウト材注入治具
１１        湾曲部
１２        側壁部
【図１】
2010138686.tif 000003
【図２】
2010138686.tif 000004
【図３】
2010138686.tif 000005
【図４】
2010138686.tif 000006
【図５】
2010138686.tif 000007
【図６】
2010138686.tif 000008
【図７】
2010138686.tif 000009
【図８】
2010138686.tif 000010
【図９】
2010138686.tif 000011